(57)【要約】【課題】競技開始前に選手の健康状態が正常か否かを判別する。【解決手段】競技に参加する選手の健康状態を管理するコンピュータに、前記選手の所定の期間に取得したバイタル情報と睡眠情報とに基づいて、前記選手についてのバイタル情報と睡眠情報の基準値を算出し、競技開始前の前記選手のバイタル情報と睡眠情報とを取得し、取得した前記バイタル情報と前記睡眠情報と、算出した前記バイタル情報と睡眠情報の基準値とのずれの大きさに応じて、前記選手が正常か異常かを判別する、処理を実行させるための健康管理プログラムが提供される。【選択図】図２
2018109827.tif 000002
【特許請求の範囲】
【請求項１】
競技に参加する選手の健康状態を管理するコンピュータに、
前記選手の所定の期間に取得したバイタル情報と睡眠情報とに基づいて、前記選手についてのバイタル情報と睡眠情報の基準値を算出し、
競技開始前の前記選手のバイタル情報と睡眠情報とを取得し、
取得した前記バイタル情報と前記睡眠情報と、算出した前記バイタル情報と睡眠情報の基準値とのずれの大きさに応じて、前記選手が正常か異常かを判別する、
処理を実行させるための健康管理プログラム。
【請求項２】
正常であると判別された前記選手の前記競技に関する保険料の少なくとも一部を払い戻すことの通知を、前記コンピュータに接続される第１の端末に出力する、ことを特徴とする請求項１に記載の健康管理プログラム。
【請求項３】
異常であると判別された前記選手を識別する識別情報を、前記コンピュータに接続される第２の端末に出力する、ことを特徴とする請求項１又は２に記載の健康管理プログラム。
【請求項４】
競技に参加する選手の健康状態を管理する健康管理装置であって、
前記選手の所定の期間に取得したバイタル情報と睡眠情報とに基づいて、前記選手についてのバイタル情報と睡眠情報の基準値を算出する算出部と、
競技開始前の前記選手のバイタル情報と睡眠情報とを取得する取得部と、
取得した前記バイタル情報と前記睡眠情報と、算出した前記バイタル情報と睡眠情報の基準値とのずれの大きさに応じて、前記選手が正常か異常かを判別する判別部と、
を有する健康管理装置。
【請求項５】
競技に参加する選手の健康状態を管理するコンピュータが、
前記選手の所定の期間に取得したバイタル情報と睡眠情報とに基づいて、前記選手についてのバイタル情報と睡眠情報の基準値を算出し、
競技開始前の前記選手のバイタル情報と睡眠情報とを取得し、
取得した前記バイタル情報と前記睡眠情報と、算出した前記バイタル情報と睡眠情報の基準値とのずれの大きさに応じて、前記選手が正常か異常かを判別する、
処理を実行する健康管理方法。
【発明の詳細な説明】
【技術分野】
【０００１】
本発明は、健康管理プログラム、健康管理装置及び健康管理方法に関する。
【背景技術】
【０００２】
近年、センシング技術により取得したバイタル情報（例えば血圧や心拍数、体温等）や睡眠情報（例えば睡眠効率等）を用いて、人の健康状態を判定する技術が知られている。人の健康状態を判定する技術の中には、スポーツ競技の分野に適用されるものがある。
【先行技術文献】
【特許文献】
【０００３】
【特許文献１】特開２００２−７５７７号公報
【特許文献２】特開２００６−１２７２８９号公報
【発明の概要】
【発明が解決しようとする課題】
【０００４】
ここで、スポーツ競技（以下、単に「競技」とも表す。）において高いパフォーマンスを発揮するには、良い健康状態で競技に臨むことが重要である。一方で、例えば体調不良や睡眠不足等で競技に臨んだ場合（すなわち、悪い健康状態で競技に臨んだ場合）、競技中に怪我等が発生するリスクが高くなる。
【０００５】
このため、競技開始前の健康状態が悪い選手には、例えば競技の出場を停止させる等の措置を取ることが好ましい。しかしながら、多人数が参加する競技大会等では、競技開始前に選手一人ひとりの健康状態を逐一特定することが困難な場合がある。
【０００６】
開示の技術は、競技開始前に選手の健康状態が正常か否かを判別することを目的としている。
【課題を解決するための手段】
【０００７】
開示の技術は、競技に参加する選手の健康状態を管理するコンピュータに、前記選手の所定の期間に取得したバイタル情報と睡眠情報とに基づいて、前記選手についてのバイタル情報と睡眠情報の基準値を算出し、競技開始前の前記選手のバイタル情報と睡眠情報とを取得し、取得した前記バイタル情報と前記睡眠情報と、算出した前記バイタル情報と睡眠情報の基準値とのずれの大きさに応じて、前記選手が正常か異常かを判別する。
【発明の効果】
【０００８】
競技開始前に選手の健康状態が正常か否かを判別することができる。
【図面の簡単な説明】
【０００９】
【図１】第一の実施形態に係る健康管理システムの全体構成の一例を示す図である。
【図２】第一の実施形態に係る健康管理システムの処理の概要を説明する図である。
【図３】第一の実施形態に係る運営者サーバ、保険会社サーバ、ユーザ端末及びスタッフ端末のハードウェア構成の一例を示す図である。
【図４】第一の実施形態に係るウェアラブル端末のハードウェア構成の一例を示す図である。
【図５】第一の実施形態に係る健康管理システムの機能構成の一例を示す図である。
【図６】日常バイタル情報記憶部に記憶されている日常バイタル情報の一例を示す図である。
【図７】日常睡眠情報記憶部に記憶されている日常睡眠情報の一例を示す図である。
【図８】コンディション特定情報記憶部に記憶されているコンディション特定情報の一例を示す図である。
【図９】選手情報記憶部に記憶されている選手情報の一例を示す図である。
【図１０】第一の実施形態に係る日常バイタル情報及び日常睡眠情報の格納処理の一例を示すシーケンス図である。
【図１１】第一の実施形態に係る大会前日から大会当日の競技開始前までの全体処理の一例を示すシーケンス図である。
【図１２】コンディションが異常の選手がいることを示す警告画面の一例を示す図である。
【図１３】第一の実施形態に係るコンディション特定情報の作成及び格納処理の一例を示すフローチャートである。
【図１４】第一の実施形態に係るコンディションの特定から選手情報の作成及び格納までの処理の一例を示すフローチャートである。
【図１５】第一の実施形態に係る保険料のキャッシュバック通知処理の一例を示すシーケンス図である。
【図１６】保険料のキャッシュバック通知画面の一例を示す図である。
【図１７】第二の実施形態に係る健康管理システムの機能構成の一例を示す図である。
【図１８】第二の実施形態に係る大会前日から大会当日の競技開始前までの全体処理の一例を示すシーケンス図である。
【図１９】第二の実施形態に係る保険料のキャッシュバック通知処理の一例を示すシーケンス図である。
【発明を実施するための形態】
【００１０】
以下、本発明の実施形態について添付の図面を参照しながら説明する。
【００１１】
（第一の実施形態）
まず、本実施形態に係る健康管理システム１の全体構成について、図１を参照しながら説明する。図１は、第一の実施形態に係る健康管理システム１の全体構成の一例を示す図である。
【００１２】
図１に示すように、本実施形態に係る健康管理システム１は、運営者サーバ１０と、保険会社サーバ２０と、ウェアラブル端末３０と、ユーザ端末４０と、スタッフ端末５０とを有する。運営者サーバ１０と、保険会社サーバ２０と、ユーザ端末４０と、スタッフ端末５０とは、例えばインターネットや電話回線網等の広域的なネットワークＮを介して通信可能に接続されている。また、ウェアラブル端末３０とユーザ端末４０とは、例えばＢｌｕｅｔｏｏｔｈ（登録商標）やＢＬＥ（Bluetooth  Low  Energy）等の無線通信により通信可能に接続されている。
【００１３】
運営者サーバ１０は、競技大会（以下、単に「大会」とも表す。）の運営者が管理する情報処理装置又は情報処理システムである。運営者サーバ１０は、競技開始前の健康状態が悪い（すなわち、競技開始前のコンディションが異常）の選手Ｐを、大会のスタッフＱが利用するスタッフ端末５０に通知する。
【００１４】
保険会社サーバ２０は、大会の参加者である選手Ｐが加入する保険（例えばイベント保険又はレクリエーション保険）の保険会社が管理する情報処理装置又は情報処理システムである。
【００１５】
保険会社サーバ２０は、競技開始前に選手Ｐの健康状態（すなわち、選手Ｐのコンディション）を特定する。そして、保険会社サーバ２０は、コンディションが異常と特定された選手Ｐを識別する識別情報（例えば、選手ＰのユーザＩＤ）を運営者サーバ１０に通知する。また、保険会社サーバ２０は、コンディションが正常と特定された選手Ｐが加入する保険の保険料をキャッシュバック（払い戻し）する。
【００１６】
保険会社サーバ２０は、選手Ｐの日常のバイタル情報（例えば血圧や心拍数、体温等）や睡眠情報（例えば睡眠効率等）を用いて、大会当日における競技開始前の選手Ｐのコンディションを特定する。
【００１７】
なお、運営者サーバ１０及び保険会社サーバ２０は、便宜上、大会の運営者及び保険会社がそれぞれ管理するものとしたが、これに限られない。例えば、運営者サーバ１０及び保険会社サーバ２０のいずれもが大会の運営者が管理するものであっても良いし、運営者サーバ１０及び保険会社サーバ２０の少なくとも一方が、大会の運営者及び保険会社とは異なる第三者が管理するものであっても良い。
【００１８】
ウェアラブル端末３０は、選手Ｐのバイタル情報や睡眠情報を取得又は作成するウェアラブル型の機器である。選手Ｐがウェアラブル端末３０を装着等した状態で日常生活を送ることで、日常のバイタル情報や睡眠情報を取得又は作成することができる。
【００１９】
なお、ウェアラブル端末３０は、例えば、リストバンド型の機器である。ただし、ウェアラブル端末３０は、例えば、アンクルバンド型であっても良いし、選手Ｐに直接に貼り付け又は選手Ｐが着用する服等のウェアに貼り付け等されていても良い。すなわち、ウェアラブル端末３０は、選手Ｐのバイタル情報や睡眠情報を取得又は作成することができる機器であれば良い。
【００２０】
また、選手Ｐは、複数のウェアラブル端末３０を装着等していても良い。すなわち、選手Ｐは、例えば、バイタル情報として血圧及び体温を取得するウェアラブル端末３０−１と、バイタル情報として心拍数を取得するウェアラブル端末３０−２と、睡眠情報を作成するウェアラブル端末３０−３とを装着等していても良い。更に、睡眠情報を作成するウェアラブル端末３０−３は、必ずしも選手Ｐが装着可能な機器である必要はなく、例えば、選手Ｐの寝室等に設置される機器であっても良い。
【００２１】
ユーザ端末４０は、選手Ｐが利用するスマートフォンやタブレット端末、ＰＣ（パーソナルコンピュータ）等である。ユーザ端末４０は、日常バイタル情報記憶部４５０と、日常睡眠情報記憶部４６０とを有する。
【００２２】
ユーザ端末４０は、選手Ｐが装着等しているウェアラブル端末３０からバイタル情報や睡眠情報を受信して、日常バイタル情報記憶部４５０や日常睡眠情報記憶部４６０に記憶する。すなわち、ユーザ端末４０は、選手Ｐの日常のバイタル情報（日常バイタル情報）や日常の睡眠情報（日常睡眠情報）を、日常バイタル情報記憶部４５０や日常睡眠情報記憶部４６０に蓄積している。なお、日常バイタル情報や日常睡眠情報は、例えば、ユーザが利用するポータルサービス等により、外部サーバ等の記憶装置に蓄積しても良い。
【００２３】
スタッフ端末５０は、大会のスタッフＱが利用するスマートフォンやタブレット端末、ＰＣ（パーソナルコンピュータ）等である。スタッフ端末５０は、運営者サーバ１０からの通知に応じて、競技開始前のコンディションが異常な選手Ｐを識別する識別情報を表示する。これにより、大会のスタッフＱは、コンディションが異常な選手Ｐの参加又は出場を停止させる措置を取ることができるようになる。
【００２４】
ここで、本実施形態に係る健康管理システム１の処理の概要について、図２を参照しながら説明する。図２は、第一の実施形態に係る健康管理システム１の処理の概要を説明する図である。
【００２５】
まず、大会前日までの間、ウェアラブル端末３０は、選手Ｐのバイタル情報と、当該選手Ｐを識別するユーザＩＤと、当該バイタル情報を取得した日時とをユーザ端末４０に送信する（ステップＳ１−１）。同様に、ウェアラブル端末３０は、選手Ｐの睡眠情報と、ユーザＩＤと、当該睡眠情報を作成した日付とをユーザ端末４０に送信する（ステップＳ１−２）。
【００２６】
そして、ユーザ端末４０は、受信したバイタル情報と、ユーザＩＤと、日時とを関連付けた日常バイタル情報６００を作成して、日常バイタル情報記憶部４５０に格納する（ステップＳ２−１）。同様に、ユーザ端末４０は、受信した睡眠情報と、ユーザＩＤと、日付とを関連付けた日常睡眠情報７００を作成して、日常睡眠情報記憶部４６０に格納する（ステップＳ２−２）。
【００２７】
このように、本実施形態に係る健康管理システム１は、大会前日までの間の日常バイタル情報６００及び日常睡眠情報７００を、ユーザ端末４０の日常バイタル情報記憶部４５０及び日常睡眠情報記憶部４６０に格納する。
【００２８】
次に、大会前日に、ユーザ端末４０は、大会前日までの日常バイタル情報６００と、大会前日までの日常睡眠情報７００とを運営者サーバ１０に送信する（ステップＳ３）。すなわち、ユーザ端末４０は、日常バイタル情報記憶部４５０に記憶されている日常バイタル情報６００と、日常睡眠情報記憶部４６０に記憶されている日常睡眠情報７００とを運営者サーバ１０に送信する。
【００２９】
運営者サーバ１０は、受信した日常バイタル情報６００と日常睡眠情報７００とを保険会社サーバ２０に送信する（ステップＳ４）。
【００３０】
保険会社サーバ２０は、日常バイタル情報６００と日常睡眠情報７００とを受信すると、これら日常バイタル情報６００及び日常睡眠情報７００に基づいて、コンディション特定情報８００を作成する。そして、保険会社サーバ２０は、作成したコンディション特定情報８００をコンディション特定情報記憶部１５０に格納する（ステップＳ５）。
【００３１】
ここで、コンディション特定情報８００は、選手Ｐのコンディションを特定するための情報である。コンディション特定情報８００には、バイタル情報の正常範囲（例えば、血圧の正常範囲や心拍数の正常範囲、体温の正常範囲等）と、睡眠情報の正常範囲（例えば、睡眠効率の正常範囲等）とが含まれる。
【００３２】
このように、本実施形態に係る健康管理システム１は、大会前日までの日常バイタル情報６００と、大会前日までの日常睡眠情報７００とに基づいて、コンディション特定情報８００を作成して、コンディション特定情報記憶部１５０に格納する。
【００３３】
続いて、大会当日の競技開始前に、ユーザ端末４０は、大会当日における競技開始前の日常バイタル情報６００と、大会当日における競技開始前の日常睡眠情報７００とを運営者サーバ１０に送信する（ステップＳ６）。
【００３４】
運営者サーバ１０は、受信した日常バイタル情報６００と日常睡眠情報７００とを保険会社サーバ２０に送信する（ステップＳ７）。
【００３５】
保険会社サーバ２０は、日常バイタル情報６００と日常睡眠情報７００とを受信すると、これら日常バイタル情報６００及び日常睡眠情報７００と、コンディション特定情報８００とに基づいて、選手Ｐのコンディションを特定する（ステップＳ８）。
【００３６】
すなわち、保険会社サーバ２０は、大会当日における競技開始前の日常バイタル情報６００に含まれる各バイタル情報と、日常睡眠情報７００に含まれる各睡眠情報とが、コンディション特定情報８００に含まれる正常範囲内であるか否かを判定する。そして、保険会社サーバ２０は、大会当日における競技開始前のバイタル情報及び睡眠情報のいずれもが正常範囲内である場合、選手Ｐのコンディションが正常であると特定する。一方で、保険会社サーバ２０は、大会当日における競技開始前のバイタル情報及び睡眠情報のいずれかが正常範囲内でない場合、選手Ｐのコンディションが異常であると特定する。
【００３７】
このように、選手Ｐの日常におけるバイタル情報及び睡眠情報から算出される正常範囲と、大会当日における競技開始前のバイタル情報及び睡眠情報とを比較する。これにより、大会当日における競技開始前の当該選手Ｐの健康状態が異常であるか否かを正確に特定（判別）することができる。
【００３８】
保険会社サーバ２０は、選手Ｐのコンディションが異常であると特定した場合、当該選手Ｐを識別する識別情報を運営者サーバ１０に送信する（ステップＳ９）。
【００３９】
そして、運営者サーバ１０は、コンディションが異常の選手Ｐの識別情報を受信すると、当該識別情報をスタッフ端末５０に送信することで、コンディションが異常の選手Ｐがいることを通知する（ステップＳ１０）。
【００４０】
このように、本実施形態に係る健康管理システム１は、大会当日の競技開始前に選手Ｐのコンディションを特定する。そして、本実施形態に係る健康管理システム１は、コンディションが異常の選手Ｐがいる場合、当該選手Ｐをスタッフ端末５０に通知する。
【００４１】
これにより、大会のスタッフＱは、大会に参加又は出場予定の選手Ｐ（すなわち、大会にエントリーしている選手Ｐ）のうち、コンディションが異常な選手Ｐを特定することができる。特に、例えば、トライアスロン等の競技大会では、体力に自信のある者が多く、また、高額な出場費用を支払う場合があるため、コンディションが悪い場合でも無理に大会に参加する選手も少なくないという事情がある。
【００４２】
したがって、大会のスタッフＱは、例えば、コンディションが異常な選手Ｐの大会への参加又は出場を停止させる措置等を取ることができるようになる。大会のスタッフＱは、当該選手Ｐの大会への参加又は出場を停止させない場合でも、競技開始後に、当該選手Ｐを健康上の注意が必要な選手として監視することができるようになる。
【００４３】
また、本実施形態に係る健康管理システム１は、大会当日における競技開始前のコンディションが正常であった選手Ｐに対しては、例えば大会終了後に、当該選手Ｐが加入する保険の保険料をキャッシュバックする。これにより、本実施形態に係る健康管理システム１は、大会に参加又は出場する選手Ｐに対して、良いコンディションで大会に臨むことへのインセンティブを与えることができる。
【００４４】
次に、本実施形態に係る運営者サーバ１０、保険会社サーバ２０、ユーザ端末４０及びスタッフ端末５０のハードウェア構成について、図３を参照しながら説明する。図３は、第一の実施形態に係る運営者サーバ１０、保険会社サーバ２０、ユーザ端末４０及びスタッフ端末５０のハードウェア構成の一例を示す図である。なお、運営者サーバ１０、保険会社サーバ２０、ユーザ端末４０及びスタッフ端末５０は、同様のハードウェア構成を有しているため、以降では、主に、運営者サーバ１０のハードウェア構成について説明する。
【００４５】
図３に示すように、本実施形態に係る運営者サーバ１０は、入力装置１１と、表示装置１２と、外部Ｉ／Ｆ１３と、通信Ｉ／Ｆ１４と、ＲＯＭ（Read  Only  Memory）１５とを有する。また、本実施形態に係る運営者サーバ１０は、ＲＡＭ（Random  Access  Memory）１６と、ＣＰＵ（Central  Processing  Unit）１７と、記憶装置１８とを有する。これら各ハードウェアは、それぞれがバス１９で相互に接続されている。
【００４６】
入力装置１１は、例えば各種ボタンやタッチパネル、キーボード、マウス等であり、運営者サーバ１０に各種の操作を入力するのに用いられる。表示装置１２は、例えばディスプレイ等であり、運営者サーバ１０による各種の処理結果を表示する。なお、運営者サーバ１０及び保険会社サーバ２０は、入力装置１１及び表示装置１２の少なくとも一方を有していなくても良い。
【００４７】
外部Ｉ／Ｆ１３は、外部装置とのインタフェースである。外部装置には、記録媒体１３ａ等がある。運営者サーバ１０は、外部Ｉ／Ｆ１３を介して、記録媒体１３ａの読み取りや書き込みを行うことができる。記録媒体１３ａには、例えば、ＳＤメモリカード(SD  memory  card）やＵＳＢメモリ、ＣＤ（Compact  Disk）、ＤＶＤ（Digital  Versatile  Disk）等がある。
【００４８】
通信Ｉ／Ｆ１４は、ネットワークＮを介して、運営者サーバ１０が他の装置（例えば、保険会社サーバ２０、ユーザ端末４０及びスタッフ端末５０等）とデータ通信を行うためのインタフェースである。
【００４９】
ＲＯＭ１５は、電源を切ってもデータを保持することができる不揮発性の半導体メモリである。ＲＡＭ１６は、プログラムやデータを一時保持する揮発性の半導体メモリである。ＣＰＵ１７は、例えば記憶装置１８やＲＯＭ１５からプログラムやデータをＲＡＭ１６上に読み出して、各種処理を実行する演算装置である。
【００５０】
記憶装置１８は、例えばＨＤＤ（Hard  Disk  Drive）やＳＳＤ（Solid  State  Drive）等であり、プログラムやデータを格納している不揮発性のメモリである。記憶装置１８に格納されているプログラムやデータには、例えば、本実施形態を実現するプログラムや基本ソフトウェアであるＯＳ（Operating  System）、ＯＳ上で動作する各種アプリケーションプログラム等がある。
【００５１】
本実施形態に係る運営者サーバ１０、保険会社サーバ２０、ユーザ端末４０及びスタッフ端末５０は、図３に示すハードウェア構成を有することにより、後述する各種処理を実現することができる。
【００５２】
次に、本実施形態に係るウェアラブル端末３０のハードウェア構成について、図４を参照しながら説明する。図４は、第一の実施形態に係るウェアラブル端末３０のハードウェア構成の一例を示す図である。
【００５３】
図４に示すように、本実施形態に係るウェアラブル端末３０は、通信Ｉ／Ｆ３１と、ＲＯＭ３２と、ＲＡＭ３３と、ＣＰＵ３４と、記憶装置３５と、センサ３６とを有する。これら各ハードウェアは、それぞれがバス３７で相互に接続されている。
【００５４】
通信Ｉ／Ｆ３１は、ウェアラブル端末３０が他の装置（例えば、ユーザ端末４０等）とデータ通信を行うためのインタフェースである。
【００５５】
ＲＯＭ３２は、電源を切ってもデータを保持することができる不揮発性の半導体メモリである。ＲＡＭ３３は、プログラムやデータを一時保持する揮発性の半導体メモリである。ＣＰＵ３４は、例えば記憶装置３５やＲＯＭ３２からプログラムやデータをＲＡＭ３３上に読み出して、各種処理を実行する演算装置である。
【００５６】
記憶装置３５は、例えばフラッシュメモリ等であり、プログラムやデータを格納している不揮発性のメモリである。記憶装置３５に格納されているプログラムやデータには、例えば、本実施形態を実現するプログラムや基本ソフトウェアであるＯＳ、ＯＳ上で動作する各種アプリケーションプログラム等がある。
【００５７】
センサ３６は、各種バイタルセンサや加速度センサ、電波センサ等である。センサ３６は、ウェアラブル端末３０を装着等している選手Ｐのバイタル情報（例えば血圧や心拍数、体温等）を取得する。また、センサ３６は、ウェアラブル端末３０を装着等している選手Ｐの睡眠状況（例えば、睡眠時間や寝返り回数等）を測定して、睡眠情報（例えば、睡眠効率等）を作成する。
【００５８】
本実施形態に係るウェアラブル端末３０は、図４に示すハードウェア構成を有することにより、後述する各種処理を実現することができる。
【００５９】
次に、本実施形態に係る健康管理システム１の機能構成について、図５を参照しながら説明する。図５は、第一の実施形態に係る健康管理システム１の機能構成の一例を示す図である。
【００６０】
図５に示すように、本実施形態に係るウェアラブル端末３０は、バイタル情報取得部３０１と、睡眠状況測定部３０２と、睡眠情報作成部３０３と、情報送信部３０４とを有する。これら各機能部は、ウェアラブル端末３０にインストールされた１以上のプログラムが、ＣＰＵ３４に実行させる処理により実現される。
【００６１】
また、本実施形態に係るウェアラブル端末３０は、ユーザＩＤ３０５を有する。ユーザＩＤ３０５は、例えば記憶装置３５に記憶されている。
【００６２】
バイタル情報取得部３０１は、選手Ｐのバイタル情報（例えば血圧や心拍数、体温等）を取得する。
【００６３】
睡眠状況測定部３０２は、選手Ｐの睡眠状況を測定する。睡眠状況には、例えば、選手Ｐの睡眠時間、選手Ｐが寝床に入った時刻、選手Ｐが寝床を出た時刻、睡眠中における寝返り回数等が含まれる。
【００６４】
睡眠情報作成部３０３は、睡眠状況測定部３０２が測定した睡眠状況から睡眠情報（例えば睡眠効率等）を作成する。睡眠効率は、例えば、選手Ｐが寝床を出た時刻と選手Ｐが寝床に入った時刻との差に対する睡眠時間の割合（％）から算出することができる。なお、睡眠情報には、例えば、睡眠中における寝返り回数、睡眠中におけるノンレム睡眠又はレム睡眠の割合等が含まれても良い。
【００６５】
情報送信部３０４は、バイタル情報取得部３０１が取得したバイタル情報と、当該バイタル情報を取得した日時と、ユーザＩＤ３０５とをユーザ端末４０に送信する。また、情報送信部３０４は、睡眠情報作成部３０３が作成した睡眠情報と、当該睡眠情報を作成した日付と、ユーザＩＤ３０５とをユーザ端末４０に送信する。
【００６６】
ユーザＩＤ３０５は、ウェアラブル端末３０を装着等している選手Ｐを識別する識別情報（ユーザＩＤ）である。
【００６７】
図５に示すように、本実施形態に係るユーザ端末４０は、情報受信部４０１と、情報送信部４０２と、日常バイタル情報作成部４０３と、バイタル情報管理部４０４とを有する。また、本実施形態に係るユーザ端末４０は、日常睡眠情報作成部４０５と、睡眠情報管理部４０６と、通知受信部４０７と、表示制御部４０８とを有する。これら各機能部は、ユーザ端末４０にインストールされた１以上のプログラムが、ＣＰＵ１７に実行させる処理により実現される。
【００６８】
更に、本実施形態に係るユーザ端末４０は、日常バイタル情報記憶部４５０と、日常睡眠情報記憶部４６０とを有する。これら各記憶部は、例えば記憶装置１８を用いて実現可能である。なお、日常バイタル情報記憶部４５０及び日常睡眠情報記憶部４６０の少なくとも一方の記憶部が、ユーザ端末４０とネットワークを介して接続される記憶装置等を用いて実現されていても良い。
【００６９】
情報受信部４０１は、バイタル情報と、ユーザＩＤと、日時とをウェアラブル端末３０から受信する。また、情報受信部４０１は、睡眠情報と、ユーザＩＤと、日付とをウェアラブル端末３０から受信する。
【００７０】
情報送信部４０２は、例えば大会前日に、日常バイタル情報記憶部４５０に記憶されている日常バイタル情報６００と、日常睡眠情報記憶部４６０に記憶されている日常睡眠情報７００とを運営者サーバ１０に送信する。すなわち、情報送信部４０２は、例えば大会前日に、大会前日までの日常バイタル情報６００と、大会前日までの日常睡眠情報７００とを運営者サーバ１０に送信する。
【００７１】
また、情報送信部４０２は、例えば大会当日の競技開始前に、日常バイタル情報記憶部４５０に記憶されている日常バイタル情報６００のうち、大会当日の日常バイタル情報６００を運営者サーバ１０に送信する。同様に、例えば大会当日の競技開始前に、日常睡眠情報記憶部４６０に記憶されている日常睡眠情報７００のうち、大会当日の日常睡眠情報７００（すなわち、大会当日の朝、選手Ｐの起床後に作成された日常睡眠情報７００）を運営者サーバ１０に送信する。
【００７２】
日常バイタル情報作成部４０３は、情報受信部４０１が受信したバイタル情報と、ユーザＩＤと、日時とを関連付けた日常バイタル情報６００を作成する。
【００７３】
バイタル情報管理部４０４は、日常バイタル情報記憶部４５０に記憶されている日常バイタル情報６００を管理する。すなわち、バイタル情報管理部４０４は、日常バイタル情報記憶部４５０に記憶されている日常バイタル情報６００を取得する。また、バイタル情報管理部４０４は、日常バイタル情報作成部４０３が作成した日常バイタル情報６００を日常バイタル情報記憶部４５０に格納する。
【００７４】
日常睡眠情報作成部４０５は、情報受信部４０１が受信した睡眠情報と、ユーザＩＤと、日付とを関連付けた日常睡眠情報７００を作成する。
【００７５】
睡眠情報管理部４０６は、日常睡眠情報記憶部４６０に記憶されている日常睡眠情報７００を管理する。すなわち、睡眠情報管理部４０６は、日常睡眠情報記憶部４６０に記憶されている日常睡眠情報７００を取得する。また、睡眠情報管理部４０６は、日常睡眠情報作成部４０５が作成した日常睡眠情報７００を日常睡眠情報記憶部４６０に格納する。
【００７６】
通知受信部４０７は、保険料のキャッシュバック通知を保険会社サーバ２０から受信する。
【００７７】
表示制御部４０８は、通知受信部４０７が保険料のキャッシュバック通知を受信すると、保険料がキャッシュバックされることを示す通知画面（保険料のキャッシュバック通知画面）を表示する。
【００７８】
日常バイタル情報記憶部４５０は、日常バイタル情報６００を記憶する。日常バイタル情報記憶部４５０に記憶されている日常バイタル情報６００の詳細については後述する。
【００７９】
日常睡眠情報記憶部４６０は、日常睡眠情報７００を記憶する。日常睡眠情報記憶部４６０に記憶されている日常睡眠情報７００の詳細については後述する。
【００８０】
図５に示すように、本実施形態に係る運営者サーバ１０は、情報受信部１０１と、情報送信部１０２と、コンディション通知部１０３とを有する。これら各機能部は、運営者サーバ１０にインストールされた１以上のプログラムが、ＣＰＵ１７に実行させる処理により実現される。
【００８１】
情報受信部１０１は、日常バイタル情報６００と、日常睡眠情報７００とをユーザ端末４０から受信する。また、情報受信部１０１は、コンディションが異常であると特定された選手ＰのユーザＩＤを保険会社サーバ２０から受信する。
【００８２】
情報送信部１０２は、情報受信部１０１が受信した日常バイタル情報６００と日常睡眠情報７００とを保険会社サーバ２０に送信する。
【００８３】
コンディション通知部１０３は、情報受信部１０１がユーザＩＤ（コンディションが異常であると特定された選手ＰのユーザＩＤ）を受信した場合、当該ユーザＩＤをスタッフ端末５０に送信する。
【００８４】
図５に示すように、本実施形態に係るスタッフ端末５０は、通知受信部５０１と、表示制御部５０２とを有する。これら各機能部は、スタッフ端末５０にインストールされた１以上のプログラムが、ＣＰＵ１７に実行させる処理により実現される。
【００８５】
通知受信部５０１は、コンディションが異常であると特定された選手ＰのユーザＩＤを運営者サーバ１０から受信する。
【００８６】
表示制御部５０２は、通知受信部５０１がユーザＩＤを受信した場合、大会当日の競技開始前にコンディションが異常の選手Ｐがいることを示す警告画面を表示する。
【００８７】
図５に示すように、本実施形態に係る保険会社サーバ２０は、情報受信部２０１と、バイタル情報管理部２０２と、睡眠情報管理部２０３と、特定情報作成部２０４と、特定情報管理部２０５とを有する。また、本実施形態に係る保険会社サーバ２０は、コンディション特定部２０６と、選手情報作成部２０７と、選手情報管理部２０８と、コンディション通知部２０９と、キャッシュバック通知部２１０とを有する。これら各機能部は、保険会社サーバ２０にインストールされた１以上のプログラムが、ＣＰＵ１７に実行させる処理により実現される。
【００８８】
更に、本実施形態に係る保険会社サーバ２０は、日常バイタル情報記憶部２５０と、日常睡眠情報記憶部２６０と、コンディション特定情報記憶部２７０と、選手情報記憶部２８０とを有する。これら各記憶部は、例えば記憶装置１８を用いて実現可能である。なお、これら各記憶部の少なくとも一の記憶部が、保険会社サーバ２０とネットワークを介して接続される記憶装置等を用いて実現されていても良い。
【００８９】
情報受信部２０１は、例えば大会前日に、大会前日までの日常バイタル情報６００と、大会前日までの日常睡眠情報７００とを運営者サーバ１０から受信する。また、情報受信部２０１は、例えば大会当日の競技開始前に、大会当日の日常バイタル情報６００と、大会当日の日常睡眠情報７００とを運営者サーバ１０から受信する。なお、情報受信部２０１は、取得部の一例である。
【００９０】
バイタル情報管理部２０２は、日常バイタル情報記憶部２５０に記憶されている日常バイタル情報６００を管理する。すなわち、バイタル情報管理部２０２は、日常バイタル情報記憶部２５０に記憶されている日常バイタル情報６００を取得する。また、バイタル情報管理部２０２は、情報受信部２０１が受信した日常バイタル情報６００を日常バイタル情報記憶部２５０に格納する。
【００９１】
睡眠情報管理部２０３は、日常睡眠情報記憶部２６０に記憶されている日常睡眠情報７００を管理する。すなわち、睡眠情報管理部２０３は、日常睡眠情報記憶部２６０に記憶されている日常睡眠情報７００を取得する。また、睡眠情報管理部２０３は、情報受信部２０１が受信した日常睡眠情報７００を日常睡眠情報記憶部２６０に格納する。
【００９２】
特定情報作成部２０４は、日常バイタル情報記憶部２５０に記憶されている日常バイタル情報６００と、日常睡眠情報記憶部２６０に記憶されている日常睡眠情報７００とに基づいて、コンディション特定情報８００を作成する。特定情報作成部２０４は、例えば、ユーザＩＤ毎に、日常バイタル情報６００に含まれる各バイタル情報の正常範囲と、日常睡眠情報７００に含まれる各睡眠情報の正常範囲とを算出することで、コンディション特定情報８００を作成する。なお、特定情報作成部２０４は、算出部の一例である。
【００９３】
特定情報管理部２０５は、コンディション特定情報記憶部２７０に記憶されているコンディション特定情報８００を管理する。すなわち、特定情報管理部２０５は、コンディション特定情報記憶部２７０に記憶されているコンディション特定情報８００を取得する。また、特定情報管理部２０５は、特定情報作成部２０４が作成したコンディション特定情報８００をコンディション特定情報記憶部２７０に格納する。
【００９４】
コンディション特定部２０６は、大会当日の日常バイタル情報６００と、大会当日の日常睡眠情報７００と、コンディション特定情報８００とに基づいて、選手Ｐのコンディション（「正常」又は「異常」）を特定（判別）する。これにより、大会当日の競技開始前に、大会にエントリーしている選手Ｐのうち、コンディションが異常の選手Ｐ（すなわち、健康状態が悪い選手Ｐ）を特定することができる。なお、コンディション特定部２０６は、判別部の一例である。
【００９５】
選手情報作成部２０７は、コンディション特定部２０６が特定した選手Ｐのコンディション（「正常」又は「異常」）と、当該選手ＰのユーザＩＤとを関連付けた選手情報９００を作成する。
【００９６】
選手情報管理部２０８は、選手情報記憶部２８０に記憶されている選手情報９００を管理する。すなわち、選手情報管理部２０８は、選手情報記憶部２８０に記憶されている選手情報９００を取得する。また、選手情報管理部２０８は、選手情報作成部２０７が作成した選手情報９００を選手情報記憶部２８０に格納する。
【００９７】
コンディション通知部２０９は、コンディション特定部２０６によりコンディションが異常であると特定された選手ＰのユーザＩＤを、運営者サーバ１０に送信する。
【００９８】
キャッシュバック通知部２１０は、例えば大会の終了後に、コンディション特定部２０６によりコンディションが正常であると特定された選手Ｐの保険料のキャッシュバックを、当該選手Ｐのユーザ端末４０に通知する。
【００９９】
日常バイタル情報記憶部２５０は、選手Ｐの日常バイタル情報６００を記憶する。すなわち、日常バイタル情報記憶部２５０は、大会にエントリーしている各選手Ｐの大会前日までの日常バイタル情報６００を記憶する。
【０１００】
日常睡眠情報記憶部２６０は、選手Ｐの日常睡眠情報７００を記憶する。すなわち、日常睡眠情報記憶部２６０は、大会にエントリーしている各選手Ｐの大会前日までの日常睡眠情報７００を記憶する。
【０１０１】
コンディション特定情報記憶部２７０は、特定情報作成部２０４が作成したコンディション特定情報８００を記憶する。すなわち、コンディション特定情報記憶部２７０は、選手Ｐ毎に、当該選手Ｐのコンディション特定情報８００を記憶する。なお、コンディション特定情報記憶部２７０に記憶されているコンディション特定情報８００の詳細については後述する。
【０１０２】
選手情報記憶部２８０は、選手情報作成部２０７が作成した選手情報９００を記憶する。すなわち、選手情報記憶部２８０は、選手Ｐ毎に、当該選手Ｐの選手情報９００を記憶する。なお、選手情報記憶部２８０に記憶されている選手情報９００の詳細については後述する。
【０１０３】
ここで、日常バイタル情報記憶部４５０に記憶されている日常バイタル情報６００の詳細について、図６を参照しながら説明する。図６は、日常バイタル情報記憶部４５０に記憶されている日常バイタル情報６００の一例を示す図である。
【０１０４】
図６に示すように、日常バイタル情報記憶部４５０に記憶されている日常バイタル情報６００には、ユーザＩＤと、日時と、バイタル情報（例えば血圧、心拍数及び体温等）とが関連付けられている。なお、日常バイタル情報６００には、バイタル情報として、血圧、心拍数及び体温が含まれているが、バイタル情報はこれらに限られない。バイタル情報には、例えば食事情報（摂取カロリー、栄養素等）等の種々の情報が含まれていても良い。
【０１０５】
このように、日常バイタル情報記憶部４５０には、ユーザ端末４０を利用する選手Ｐの日常バイタル情報６００が記憶されている。
【０１０６】
次に、日常睡眠情報記憶部４６０に記憶されている日常睡眠情報７００の詳細について、図７を参照しながら説明する。図７は、日常睡眠情報記憶部４６０に記憶されている日常睡眠情報７００の一例を示す図である。
【０１０７】
図７に示すように、日常睡眠情報記憶部４６０に記憶されている日常睡眠情報７００には、ユーザＩＤと、日付と、睡眠情報（例えば睡眠効率等）とが関連付けられている。なお、日常睡眠情報７００には、睡眠情報として、睡眠効率が含まれているが、睡眠情報はこれに限られない。睡眠情報には、例えば睡眠中における寝返り回数、睡眠中におけるノンレム睡眠又はレム睡眠の割合等の種々の情報が含まれていても良い。また、睡眠情報には、睡眠中におけるバイタル情報（例えば、睡眠中における選手Ｐの体温や睡眠中における選手Ｐの心拍数等）が含まれていても良い。
【０１０８】
このように、日常睡眠情報記憶部４６０には、ユーザ端末４０を利用する選手Ｐの日常睡眠情報７００が記憶されている。
【０１０９】
次に、コンディション特定情報記憶部２７０に記憶されているコンディション特定情報８００の詳細について、図８を参照しながら説明する。図８は、コンディション特定情報記憶部２７０に記憶されているコンディション特定情報８００の一例を示す図である。
【０１１０】
図８に示すように、コンディション特定情報記憶部２７０に記憶されているコンディション特定情報８００には、ユーザＩＤと、バイタル情報の正常範囲と、睡眠情報の正常範囲とが関連付けられている。
【０１１１】
バイタル情報の正常範囲は、コンディションが正常と特定されるバイタル情報の範囲である。例えば、ユーザＩＤ「Ｕ００１」のコンディション特定情報８００には、血圧の正常範囲「１３０±１０」、心拍数の正常範囲「７０±５」、体温の正常範囲「３６±０．５」等が含まれる。
【０１１２】
また、睡眠情報の正常範囲は、コンディションが正常と特定される睡眠情報の範囲である。例えば、ユーザＩＤ「Ｕ００１」のコンディション特定情報８００には、睡眠効率の正常範囲「８０±５」等が含まれる。
【０１１３】
このように、コンディション特定情報記憶部２７０には、選手Ｐ（ユーザＩＤ）毎に、当該選手Ｐのコンディションを特定するためのコンディション特定情報８００が記憶されている。
【０１１４】
次に、選手情報記憶部２８０に記憶されている選手情報９００の詳細について、図９を参照しながら説明する。図９は、選手情報記憶部２８０に記憶されている選手情報９００の一例を示す図である。
【０１１５】
図９に示すように、選手情報記憶部２８０に記憶されている選手情報９００には、ユーザＩＤと、コンディションとが関連付けられている。
【０１１６】
例えば、ユーザＩＤ「Ｕ００１」には、コンディション「異常」が関連付けられている。これは、大会当日の競技開始前に、ユーザＩＤ「Ｕ００１」の選手Ｐのコンディションが「異常」と特定されたことを示している。
【０１１７】
また、例えば、ユーザＩＤ「Ｕ００２」には、コンディション「正常」が関連付けられている。これは、大会当日の競技開始前に、ユーザＩＤ「Ｕ００２」の選手Ｐのコンディションが「正常」と特定されたことを示している。
【０１１８】
このように、選手情報記憶部２８０には、選手Ｐ（ユーザＩＤ）毎に、大会当日の競技開始前における当該選手Ｐのコンディションを含む選手情報９００が記憶されている。
【０１１９】
次に、本実施形態に係る健康管理システム１の処理の詳細について説明する。まず、選手Ｐの日常バイタル情報６００と日常睡眠情報７００とをユーザ端末４０に格納する処理について、図１０を参照しながら説明する。図１０は、第一の実施形態に係る日常バイタル情報６００及び日常睡眠情報７００の格納処理の一例を示すシーケンス図である。
【０１２０】
以降のステップＳ１００１〜ステップＳ１００４の処理は、選手Ｐが起きている間（覚醒中）に行われる。ただし、ステップＳ１００１〜ステップＳ１００４の処理は、選手Ｐが寝ている間（睡眠中）にも行われて良い。
【０１２１】
まず、ウェアラブル端末３０のバイタル情報取得部３０１は、所定の間隔（例えば数秒乃至数十秒）毎に、選手Ｐのバイタル情報（例えば血圧や心拍数、体温等）を取得する（ステップＳ１００１）。
【０１２２】
次に、ウェアラブル端末３０の情報送信部３０４は、バイタル情報取得部３０１が取得したバイタル情報と、ユーザＩＤ３０５と、当該バイタル情報を取得した日時とをユーザ端末４０に送信する（ステップＳ１００２）。
【０１２３】
なお、上記のステップＳ１００２において、情報送信部３０４は、日時を送信しなくても良い。この場合、日常バイタル情報６００に含まれる日時は、例えば、ユーザ端末４０がバイタル情報及びユーザＩＤ３０５をウェアラブル端末３０から受信した日時とすれば良い。
【０１２４】
ユーザ端末４０の日常バイタル情報作成部４０３は、情報受信部４０１がバイタル情報と、ユーザＩＤ３０５と、日時とを受信すると、これらを関連付けた日常バイタル情報６００を作成する（ステップＳ１００３）。
【０１２５】
次に、ユーザ端末４０のバイタル情報管理部４０４は、日常バイタル情報作成部４０３が作成した日常バイタル情報６００を日常バイタル情報記憶部４５０に格納する（ステップＳ１００４）。
【０１２６】
これにより、所定の間隔毎に、選手Ｐが起きている間の日常バイタル情報６００が日常バイタル情報記憶部４５０に蓄積される。
【０１２７】
なお、上記のステップＳ１００１〜ステップＳ１００４の処理では、ウェアラブル端末３０がバイタル情報を取得した都度、日常バイタル情報６００の作成及び格納を行っているが、これに限られない。ウェアラブル端末３０は、例えば１日分のバイタル情報を保持しておき、所定のタイミングで、これら１日分のバイタル情報をユーザＩＤ及び日時と共にユーザ端末４０に送信しても良い。
【０１２８】
以降のステップＳ１００５の処理は、選手Ｐが寝ている間に行われる。また、以降のステップＳ１００６〜ステップＳ１００９の処理は、選手Ｐが起床後に行われる。
【０１２９】
ウェアラブル端末３０の睡眠状況測定部３０２は、睡眠中における選手Ｐの睡眠状況を測定する（ステップＳ１００５）。すなわち、睡眠状況測定部３０２は、例えば、選手Ｐの睡眠時間、選手Ｐが寝床に入った時刻、選手Ｐが寝床を出た時刻、睡眠中における寝返り回数等を測定する。
【０１３０】
ウェアラブル端末３０の睡眠情報作成部３０３は、選手Ｐが起床した場合、睡眠状況測定部３０２が測定した睡眠状況から睡眠情報を作成する（ステップＳ１００６）。すなわち、睡眠情報作成部３０３は、例えば、選手Ｐが寝床を出た時刻と寝床に入った時刻との差に対する睡眠時間の割合（％）を算出して、睡眠情報として睡眠効率を作成する。
【０１３１】
次に、ウェアラブル端末３０の情報送信部３０４は、睡眠情報作成部３０３が作成した睡眠情報と、ユーザＩＤ３０５と、当該睡眠情報を作成した日付とをユーザ端末４０に送信する（ステップＳ１００７）。
【０１３２】
なお、上記のステップＳ１００７において、情報送信部３０４は、日付を送信しなくても良い。この場合、日常睡眠情報７００に含まれる日付は、例えば、ユーザ端末４０が睡眠情報及びユーザＩＤ３０５をウェアラブル端末３０から受信した日付とすれば良い。
【０１３３】
ユーザ端末４０の日常睡眠情報作成部４０５は、情報受信部４０１が睡眠情報と、ユーザＩＤ３０５と、日付とを受信すると、これらを関連付けた日常睡眠情報７００を作成する（ステップＳ１００８）。
【０１３４】
次に、ユーザ端末４０の睡眠情報管理部４０６は、日常睡眠情報作成部４０５が作成した日常睡眠情報７００を日常睡眠情報記憶部４６０に格納する（ステップＳ１００９）。
【０１３５】
これにより、選手Ｐの睡眠状況から作成された日常睡眠情報７００が日常睡眠情報記憶部４６０に蓄積される。
【０１３６】
なお、上記のステップＳ１００５〜ステップＳ１００９の処理では、ウェアラブル端末３０が睡眠情報を作成した都度、日常睡眠情報７００の作成及び格納を行っているが、これに限られない。ウェアラブル端末３０は、例えば数日分の睡眠情報を保持しておき、所定のタイミングで、これら数日分の睡眠情報をユーザＩＤ及び日付と共にユーザ端末４０に送信しても良い。
【０１３７】
以上のように、本実施形態に係る健康管理システム１では、選手Ｐの日常のバイタル情報を示す日常バイタル情報６００を日常バイタル情報記憶部４５０に蓄積する。同様に、本実施形態に係る健康管理システム１では、選手Ｐの日常の睡眠情報を示す日常睡眠情報７００を日常睡眠情報記憶部４６０に蓄積する。
【０１３８】
次に、大会前日から大会当日の競技開始前までの全体処理について、図１１を参照しながら説明する。図１１は、第一の実施形態に係る大会前日から大会当日の競技開始前までの全体処理の一例を示すシーケンス図である。
【０１３９】
以降のステップＳ１１０１〜ステップＳ１１０５の処理は、大会前日に行われる。ただし、ステップＳ１１０１〜ステップＳ１１０５の処理は、大会前日に行われる場合に限られず、少なくとも大会前日までの任意の日に行われれば良い。
【０１４０】
まず、ユーザ端末４０のバイタル情報管理部４０４は、日常バイタル情報記憶部４５０に記憶されている日常バイタル情報６００を取得する。また、ユーザ端末４０の睡眠情報管理部４０６は、日常睡眠情報記憶部４６０に記憶されている日常睡眠情報７００を取得する（ステップＳ１１０１）。
【０１４１】
すなわち、バイタル情報管理部４０４は、大会前日までの日常バイタル情報６００を日常バイタル情報記憶部４５０から取得する。同様に、睡眠情報管理部４０６は、大会前日までの日常睡眠情報７００を日常睡眠情報記憶部４６０から取得する。
【０１４２】
なお、バイタル情報管理部４０４は、例えば、大会前日までの所定の期間の日常バイタル情報６００を日常バイタル情報記憶部４５０から取得しても良い。同様に、睡眠情報管理部４０６は、例えば、大会前日までの所定の期間の日常睡眠情報７００を日常睡眠情報記憶部４７０から取得しても良い。
【０１４３】
次に、ユーザ端末４０の情報送信部４０２は、バイタル情報管理部４０４が取得した日常バイタル情報６００と、睡眠情報管理部４０６が取得した日常睡眠情報７００とを運営者サーバ１０に送信する（ステップＳ１１０２）。
【０１４４】
運営者サーバ１０の情報送信部１０２は、情報受信部１０１が日常バイタル情報６００と日常睡眠情報７００とを受信すると、これら日常バイタル情報６００と日常睡眠情報７００とを保険会社サーバ２０に送信する（ステップＳ１１０３）。
【０１４５】
保険会社サーバ２０のバイタル情報管理部２０２は、情報受信部２０１が日常バイタル情報６００を受信すると、当該日常バイタル情報６００を日常バイタル情報記憶部２５０に格納する。また、保険会社サーバ２０の睡眠情報管理部２０３は、情報受信部２０１が日常睡眠情報７００を受信すると、当該日常睡眠情報７００を日常睡眠情報記憶部２６０に格納する（ステップＳ１１０４）。
【０１４６】
これにより、日常バイタル情報記憶部２５０には、大会にエントリーしている各選手Ｐの大会前日までの日常バイタル情報６００が記憶される。同様に、日常睡眠情報記憶部２６０には、大会にエントリーしている各選手Ｐの大会前日までの日常睡眠情報７００が記憶される。
【０１４７】
次に、保険会社サーバ２０は、コンディション特定情報８００の作成及び格納処理を行う（ステップＳ１１０５）。
【０１４８】
すなわち、保険会社サーバ２０は、日常バイタル情報記憶部２５０に記憶されている日常バイタル情報６００と、日常睡眠情報記憶部２６０に記憶されている日常睡眠情報７００とに基づいて、コンディション特定情報８００を作成する。そして、保険会社サーバ２０は、特定情報作成部２０４が作成したコンディション特定情報８００をコンディション特定情報記憶部２７０に格納する。なお、コンディション特定情報８００の作成及び格納処理の詳細については後述する。
【０１４９】
これにより、大会前日までの日常バイタル情報６００及び日常睡眠情報７００に基づき作成されたコンディション特定情報８００がコンディション特定情報記憶部２７０に記憶される。
【０１５０】
以降のステップＳ１１０６〜ステップＳ１１１２の処理は、大会当日の競技開始前に行われる。なお、大会当日の競技開始前とは、例えば、大会の開催時刻以降、かつ、競技の開始時刻前における所定の時刻である。
【０１５１】
まず、ユーザ端末４０のバイタル情報管理部４０４は、日常バイタル情報記憶部４５０に記憶されている日常バイタル情報６００のうち、大会当日の日常バイタル情報６００を取得する。また、ユーザ端末４０の睡眠情報管理部４０６は、日常睡眠情報記憶部４６０に記憶されている日常睡眠情報７００のうち、大会当日の日常睡眠情報７００を取得する（ステップＳ１１０６）。
【０１５２】
大会当日の日常バイタル情報６００とは、例えば、日常バイタル情報記憶部４５０に記憶されている日常バイタル情報６００のうち、日時が大会当日の朝（例えば午前８時）以降の日常バイタル情報６００のことである。なお、大会当日の日常バイタル情報６００は、例えば、日時が大会当日における選手Ｐの起床時刻以降である日常バイタル情報６００であっても良い。
【０１５３】
また、大会当日の日常睡眠情報７００とは、例えば、日常睡眠情報記憶部４６０に記憶されている日常睡眠情報７００のうち、日付が大会当日の日付である日常睡眠情報７００のことである。
【０１５４】
次に、ユーザ端末４０の情報送信部４０２は、バイタル情報管理部４０４が取得した大会当日の日常バイタル情報６００と、睡眠情報管理部４０６が取得した大会当日の日常睡眠情報７００とを運営者サーバ１０に送信する（ステップＳ１１０７）。
【０１５５】
運営者サーバ１０の情報送信部１０２は、情報受信部１０１が大会当日の日常バイタル情報６００と、大会当日の日常睡眠情報７００とを受信すると、これら日常バイタル情報６００と日常睡眠情報７００とを保険会社サーバ２０に送信する（ステップＳ１１０８）。
【０１５６】
保険会社サーバ２０は、情報受信部２０１が日常バイタル情報６００と日常睡眠情報７００とを受信すると、選手Ｐのコンディションの特定から選手情報９００の作成及び格納までの処理を行う（ステップＳ１１０９）。
【０１５７】
すなわち、保険会社サーバ２０は、大会当日の日常バイタル情報６００と、大会当日の日常睡眠情報７００とに基づいて、選手Ｐのコンディションを特定する。そして、保険会社サーバ２０は、特定されたコンディションを含む選手情報９００を作成した上で、選手情報記憶部２８０に格納する。なお、選手Ｐのコンディションの特定から選手情報９００の作成及び格納までの処理の詳細については後述する。
【０１５８】
これにより、大会当日における競技開始前の選手Ｐのコンディションが特定されると共に、特定されたコンディションを含む選手情報９００を選手情報記憶部２８０が記憶される。言い換えれば、競技開始前に、大会にエントリーしている各選手Ｐについて、コンディションが異常の選手Ｐ（健康状態が悪い選手Ｐ）と、コンディションが正常の選手Ｐ（健康状態が良い選手Ｐ）とが特定される。
【０１５９】
ここで、上記のステップＳ１１０９において、選手Ｐのコンディションが異常と特定された場合、保険会社サーバ２０のコンディション通知部２０９は、当該選手ＰのユーザＩＤを運営者サーバ１０に送信する（ステップＳ１１１０）。
【０１６０】
運営者サーバ１０のコンディション通知部１０３は、情報受信部１０１がユーザＩＤ（コンディションが異常と特定された選手ＰのユーザＩＤ）を受信すると、当該ユーザＩＤをスタッフ端末５０に送信する（ステップＳ１１１１）。
【０１６１】
スタッフ端末５０の表示制御部５０２は、通知受信部５０１がユーザＩＤを受信すると、コンディションが異常の選手Ｐがいることを示す警告画面Ｇ１００を表示する（ステップＳ１１１２）。
【０１６２】
ここで、コンディションが異常の選手Ｐがいることを示す警告画面Ｇ１００について、図１２を参照しながら説明する。図１２は、コンディションが異常の選手がいることを示す警告画面Ｇ１００の一例を示す図である。
【０１６３】
図１２に示すように、警告画面Ｇ１００には、運営者サーバ１０から受信したユーザＩＤの選手Ｐのコンディションが異常であることを示すメッセージＧ１０１が含まれる。また、警告画面Ｇ１００には、当該選手Ｐの詳細な情報を表示するための詳細ボタンＧ１０２が含まれる。
【０１６４】
スタッフＱは、警告画面Ｇ１００において詳細ボタンＧ１０２を押下することで、例えば、コンディションが異常である選手Ｐの詳細な健康状態や当該選手Ｐの現在位置等を表示することができる。
【０１６５】
このように、スタッフ端末５０には、コンディションが異常と特定された選手Ｐの情報が表示される。これにより、スタッフＱは、当該選手Ｐの大会への参加又は出場を停止させる措置を取ることができるようになる。また、スタッフＱは、当該選手Ｐの大会への参加又は出場を停止させない場合でも、競技開始後に、当該選手Ｐを健康上の注意が必要な選手として監視することができるようになる。すなわち、このような通知により、スタッフＱは、大会にエントリーしている各選手Ｐのうち、健康状態が悪い選手Ｐを特定することができる。
【０１６６】
以上のように、本実施形態に係る健康管理システム１では、例えば大会前日に、大会にエントリーしている各選手Ｐのコンディションをそれぞれ特定するためのコンディション特定情報８００を作成する。そして、本実施形態に係る健康管理システム１では、例えば大会当日の競技開始前に、コンディションが異常であると特定された選手Ｐの情報をスタッフ端末５０に通知する。
【０１６７】
ここで、図１１のステップＳ１１０５のコンディション特定情報８００の作成及び格納処理の詳細について、図１３を参照しながら説明する。図１３は、第一の実施形態に係るコンディション特定情報８００の作成及び格納処理の一例を示すフローチャートである。
【０１６８】
まず、バイタル情報管理部２０２は、ユーザＩＤを１つ固定して、日常バイタル情報記憶部２５０に記憶されている日常バイタル情報６００のうち、当該ユーザＩＤの日常バイタル情報６００を取得する。同様に、睡眠情報管理部２０３は、日常睡眠情報記憶部２６０に記憶されている日常睡眠情報７００のうち、当該ユーザＩＤの日常睡眠情報７００を取得する（ステップＳ１３０１）。
【０１６９】
言い換えれば、バイタル情報管理部２０２は、大会にエントリーしている複数の選手Ｐのうちの一の選手ＰのユーザＩＤが含まれる日常バイタル情報６００を日常バイタル情報記憶部２５０から取得する。同様に、睡眠情報管理部２０３は、当該ユーザＩＤが含まれる日常睡眠情報７００を日常睡眠情報記憶部２６０から取得する。
【０１７０】
例えば、ユーザＩＤが「Ｕ００１」〜「Ｕ１００」の１００人の選手Ｐが大会にエントリーしている場合、バイタル情報管理部２０２は、例えばユーザＩＤ「Ｕ００１」の日常バイタル情報６００を日常バイタル情報記憶部２５０から取得する。同様に、この場合、睡眠情報管理部２０３は、ユーザＩＤ「Ｕ００１」の日常睡眠情報７００を日常睡眠情報記憶部２６０から取得する。
【０１７１】
次に、特定情報作成部２０４は、バイタル情報管理部２０２が取得した日常バイタル情報６００に含まれる各バイタル情報の正常範囲を算出する（ステップＳ１３０２）。
【０１７２】
ここで、各バイタル情報の正常範囲は、例えば、バイタル情報の平均値から所定の範囲とすれば良い。具体的には、まず、特定情報作成部２０４は、例えば、バイタル情報管理部２０２が取得した日常バイタル情報６００に含まれるバイタル情報「血圧」の平均値を算出する。そして、特定情報作成部２０４は、当該平均値を含む所定の範囲（例えば、±５％等）を、バイタル情報「血圧」の正常範囲とすれば良い。
【０１７３】
同様に、特定情報作成部２０４は、例えば、バイタル情報管理部２０２が取得した日常バイタル情報６００に含まれるバイタル情報「心拍数」の平均値を算出する。そして、特定情報作成部２０４は、当該平均値を含む所定の範囲（例えば、±１０％等）を、バイタル情報「心拍数」の正常範囲とすれば良い。なお、平均値は、基準値の一例である。
【０１７４】
これにより、日常バイタル情報６００に含まれる各バイタル情報について、ある選手Ｐのバイタル情報の正常範囲が算出される。
【０１７５】
次に、特定情報作成部２０４は、睡眠情報管理部２０３が取得した日常睡眠情報７００に含まれる各睡眠情報の正常範囲を算出する（ステップＳ１３０３）。
【０１７６】
ここで、各睡眠情報の正常範囲は、例えば、睡眠情報の平均値から所定の範囲とすれば良い。具体的には、まず、特定情報作成部２０４は、例えば、睡眠情報管理部２０３が取得した日常睡眠情報７００に含まれる睡眠情報「睡眠効率」の平均値を算出する。そして、特定情報作成部２０４は、当該平均値を含む所定の範囲（例えば、±８％等）を、睡眠情報「睡眠効率」の正常範囲とすれば良い。
【０１７７】
これにより、日常睡眠情報７００に含まれる各睡眠情報について、ある選手Ｐの睡眠情報の正常範囲が算出される。
【０１７８】
次に、特定情報作成部２０４は、当該ユーザＩＤと、上記のステップＳ１３０２で算出した各バイタル情報の正常範囲と、上記のステップＳ１３０３で算出した各睡眠情報の正常範囲とを関連付けてコンディション特定情報８００を作成する（ステップＳ１３０４）。
【０１７９】
本実施形態では、日常バイタル情報６００及び日常睡眠情報７００から基準値を算出し、選手Ｐの所定の期間のバイタル情報及び睡眠情報を取得して基準値からのずれの大きさに応じて正常か異常かを判別するコンディション特定情報８００を作成している。本実施形態では、基準値は日常バイタル情報６００及び日常睡眠情報７００の平均値であり、ずれの大きさは当該平均値を含む所定の範囲としている。基準値は、平均値の他、例えば、中央値や偏差等が用いられても良い。また、ずれの大きさも日常バイタル情報６００及び日常睡眠情報７００の確率分布等であっても良い。
【０１８０】
次に、特定情報管理部２０５は、特定情報作成部２０４が作成したコンディション特定情報８００をコンディション特定情報記憶部２７０に格納する（ステップＳ１３０５）。これにより、ある選手Ｐのコンディション特定情報８００がコンディション特定情報記憶部２７０に記憶される。
【０１８１】
次に、バイタル情報管理部２０２（又は睡眠情報管理部２０３）は、次のユーザＩＤがあるか否かを判定する（ステップＳ１３０６）。すなわち、バイタル情報管理部２０２は、日常バイタル情報記憶部２５０に記憶されている日常バイタル情報６００のうち、未だコンディション特定情報８００が作成されていない選手ＰのユーザＩＤを含む日常バイタル情報６００があるか否かを判定する。
【０１８２】
ステップＳ１３０６において、次のユーザＩＤがあると判定された場合、バイタル情報管理部２０２は、当該次のユーザＩＤを固定して、日常バイタル情報記憶部２５０に記憶されている日常バイタル情報６００のうち、当該次のユーザＩＤの日常バイタル情報６００を取得する。同様に、睡眠情報管理部２０３は、日常睡眠情報記憶部２６０に記憶されている日常睡眠情報７００のうち、当該次にユーザＩＤの日常睡眠情報７００を取得する（ステップＳ１３０７）。
【０１８３】
そして、保険会社サーバ２０は、以降のステップＳ１３０２〜ステップＳ１３０６の処理を行う。すなわち、ステップＳ１３０２〜ステップＳ１３０６の処理は、大会にエントリーしている各選手ＰのユーザＩＤ毎に行われる。
【０１８４】
一方で、ステップＳ１３０６において、次のユーザＩＤがないと判定された場合、保険会社サーバ２０は、処理を終了する。
【０１８５】
以上のように、本実施形態に係る健康管理システム１は、選手ＰのユーザＩＤ毎に、当該選手Ｐの大会前日までの日常バイタル情報６００と、当該選手Ｐの大会前日までの日常睡眠情報７００とに基づいて、コンディション特定情報８００を作成する。
【０１８６】
次に、図１１のステップＳ１１０９の選手Ｐのコンディションの特定から選手情報９００の作成及び格納までの処理の詳細について、図１４を参照しながら説明する。図１４は、第一の実施形態に係るコンディションの特定から選手情報の作成及び格納までの処理の一例を示すフローチャートである。
【０１８７】
まず、コンディション特定部２０６は、大会当日の日常バイタル情報６００（又は大会当日の日常睡眠情報７００）からユーザＩＤを取得する（ステップＳ１４０１）。
【０１８８】
次に、特定情報管理部２０５は、コンディション特定部２０６が取得したユーザＩＤを含むコンディション特定情報８００をコンディション特定情報記憶部２７０から取得する（ステップＳ１４０２）。
【０１８９】
次に、コンディション特定部２０６は、大会当日の日常バイタル情報６００と、大会当日の日常睡眠情報７００と、特定情報管理部２０５が取得したコンディション特定情報８００とに基づいて、当該ユーザＩＤの選手Ｐのコンディションを特定する（ステップＳ１４０３）。
【０１９０】
すなわち、コンディション特定部２０６は、大会当日の日常バイタル情報６００に含まれる各バイタル情報と、大会当日の日常睡眠情報７００に含まれる各睡眠情報とがいずれも正常範囲内であるか否かを判定する。そして、コンディション特定部２０６は、これら各バイタル情報及び各睡眠情報のうち、少なくとも１つのバイタル情報又は睡眠情報が正常範囲内でない場合、選手Ｐのコンディションを異常であると特定する。一方で、コンディション特定部２０６は、これら各バイタル情報及び各睡眠情報のいずれもが正常範囲内である場合、選手Ｐのコンディションを正常であると特定する。
【０１９１】
なお、コンディション特定部２０６は、例えば、大会当日の日常バイタル情報６００に含まれる各バイタル情報と、大会当日の日常睡眠情報７００に含まれる各睡眠情報とに応じて、選手Ｐのコンディションを段階的に特定しても良い。例えば、コンディション特定部２０６は、選手Ｐのコンディションを「正常（すごく良い）」、「正常（良い）」、「正常（普通）」及び「異常」と段階的に特定しても良い。
【０１９２】
コンディションが「正常（すごく良い）」とは、例えば、各バイタル情報及び各睡眠情報がいずれも正常範囲内で、かつ、各バイタル情報及び各睡眠情報がいずれも平均値から所定の第１の範囲内であるような場合である。また、コンディションが「正常（良い）」とは、例えば、各バイタル情報及び各睡眠情報がいずれも正常範囲内で、かつ、各バイタル情報及び各睡眠情報がいずれも平均値から所定の第２の範囲内（第２の範囲は、第１の範囲を含む。）であるような場合である。更に、コンディションが「正常」とは、例えば、各バイタル情報及び各睡眠情報がいずれも正常範囲内で、かつ、各バイタル情報及び各睡眠情報の少なくとも１つのバイタル情報又は睡眠情報が第２の範囲内に含まれないような場合である。
【０１９３】
次に、選手情報作成部２０７は、上記のステップＳ１４０１で取得したユーザＩＤと、上記のステップＳ１４０３で特定したコンディションとを関連付けて選手情報９００を作成する（ステップＳ１４０４）。
【０１９４】
次に、選手情報管理部２０８は、選手情報作成部２０７が作成した選手情報９００を選手情報記憶部２８０に格納する（ステップＳ１４０５）。これにより、選手Ｐのコンディションが含まれる選手情報９００が選手情報記憶部２８０に記憶される。
【０１９５】
以上のように、本実施形態に係る健康管理システム１は、大会当日の競技開始前における選手Ｐの日常バイタル情報６００及び日常睡眠情報７００に基づいて、大会当日の競技開始前における当該選手Ｐのコンディションを特定する。そして、本実施形態に係る健康管理システム１は、選手ＰのユーザＩＤ毎に、大会当日の競技開始前における当該選手Ｐのコンディションが含まれる選手情報９００を選手情報記憶部２８０に記憶する。これにより、本実施形態に係る健康管理システム１は、大会にエントリーしている各選手Ｐについて、コンディションが異常である選手Ｐと、コンディションが正常である選手Ｐとを特定することができる。
【０１９６】
次に、コンディションが正常と特定された選手Ｐに保険料のキャッシュバックを通知する処理について、図１５を参照しながら説明する。図１５は、第一の実施形態に係る保険料のキャッシュバック通知処理の一例を示すシーケンス図である。
【０１９７】
以降のステップＳ１５０１〜ステップＳ１５０３の処理は、大会終了後に行われる。なお、ステップＳ１５０１〜ステップＳ１５０３の処理、大会終了後に行われる場合に限られず、例えば、競技開始後に行われても良い。
【０１９８】
まず、保険会社サーバ２０の選手情報管理部２０８は、選手情報記憶部２８０に記憶されている選手情報９００のうち、コンディションが「正常」である選手情報９００を取得する（ステップＳ１５０１）。
【０１９９】
次に、保険会社サーバ２０のキャッシュバック通知部２１０は、選手情報管理部２０８が取得した選手情報９００に含まれるユーザＩＤの選手Ｐが利用するユーザ端末４０宛に、保険料のキャッシュバックを通知する（ステップＳ１５０２）。なお、保険料のキャッシュバックの通知先は、当該ユーザＩＤの選手Ｐが利用するユーザ端末４０に限られず、当該選手Ｐが利用する他の端末であっても良い。また、キャッシュバック通知部２１０は、例えば、予め決められたメールアドレス宛に、保険料のキャッシュバックを通知するためのメールを送信しても良い。
【０２００】
ユーザ端末４０の表示制御部４０８は、通知受信部４０７がキャッシュバック通知を受信すると、保険料のキャッシュバック通知画面Ｇ２００を表示する（ステップＳ１５０３）。
【０２０１】
ここで、保険料のキャッシュバック通知画面Ｇ２００について、図１６を参照しながら説明する。図１６は、保険料のキャッシュバック通知画面Ｇ２００の一例を示す図である。
【０２０２】
図１６に示すように、キャッシュバック通知画面Ｇ２００には、選手Ｐに保険料をキャッシュバックすることを示すメッセージＧ２０１が含まれる。これにより、選手Ｐは、保険料がキャッシュバックされることを知ることができる。
【０２０３】
以上のように、本実施形態に係る健康管理システム１は、大会当日の競技開始前にコンディションが正常であると特定された選手Ｐに対して、大会終了後に保険料のキャッシュバックを通知する。これにより、本実施形態に係る健康管理システム１では、選手Ｐに対して、良好な健康状態に大会に臨むことへのインセンティブを与えることができる。
【０２０４】
また、大会当日の競技開始前に、例えば、選手Ｐ及び大会運営者以外の第三者であっても当該選手Ｐの健康状態を判別することができる。このため、例えば当該第三者は、判別された健康状態を基に、大会の安全性を向上させるサービスや保険商品等のサービスの提供に活用することができる。
【０２０５】
なお、保険料のキャッシュバック額（又はキャッシュバック率）は、選手Ｐの健康状態に応じて変更されても良い。例えば、選手Ｐのコンディションが「正常（とても良い）」場合（健康状態がとても良い場合）にはキャッシュバック額が「５００円」、選手Ｐのコンディションが「正常（良い）」場合（健康状態が良い場合）にはキャッシュバック額が「３００円」等である。
【０２０６】
（第二の実施形態）
次に、第二の実施形態について説明する。第二の実施形態では、選手Ｐのコンディションの特定を運営者サーバ１０で行う場合について説明する。なお、第二の実施形態では、主に、第一の実施形態との相違点について説明し、第一の実施形態と実質的に同一の機能を有する箇所及び実質的に同一の処理を行う箇所については同一の符号を付与し、その説明を省略する。
【０２０７】
まず、本実施形態に係る健康管理システム１の機能構成について、図１７を参照しながら説明する。図１７は、第二の実施形態に係る健康管理システム１の機能構成の一例を示す図である。
【０２０８】
図１７に示すように、本実施形態に係る運営者サーバ１０は、バイタル情報管理部２０２と、睡眠情報管理部２０３と、特定情報作成部２０４と、特定情報管理部２０５とを有する。また、本実施形態に係る運営者サーバ１０は、コンディション特定部２０６と、選手情報作成部２０７と、選手情報管理部２０８とを有する。
【０２０９】
更に、本実施形態に係る運営者サーバ１０は、日常バイタル情報記憶部２５０と、日常睡眠情報記憶部２６０と、コンディション特定情報記憶部２７０と、選手情報記憶部２８０とを有する。
【０２１０】
一方で、本実施形態に係る保険会社サーバ２０は、バイタル情報管理部２０２と、睡眠情報管理部２０３と、特定情報作成部２０４と、特定情報管理部２０５とを有しない。同様に、本実施形態に係る保険会社サーバ２０は、コンディション特定部２０６と、選手情報作成部２０７と、選手情報管理部２０８とを有しない。
【０２１１】
また、本実施形態に係る日常バイタル情報記憶部２５０と、日常睡眠情報記憶部２６０と、コンディション特定情報記憶部２７０と、選手情報記憶部２８０とを有しない。
【０２１２】
次に、本実施形態に係る大会前日から大会当日の競技開始前までの全体処理について、図１８を参照しながら説明する。図１８は、第二の実施形態に係る大会前日から大会当日の競技開始前までの全体処理の一例を示すシーケンス図である。なお、図１８のステップＳ１１０１〜ステップＳ１１０２、ステップＳ１１０７〜ステップＳ１１０７及びステップＳ１１１２の処理は、図１１と同様であるため、その説明を省略する。
【０２１３】
ステップＳ１１０２に続いて、運営者サーバ１０のバイタル情報管理部２０２は、情報受信部１０１が日常バイタル情報６００を受信すると、当該日常バイタル情報６００を日常バイタル情報記憶部２５０に格納する。また、運営者サーバ１０の睡眠情報管理部２０３は、情報受信部１０１が日常睡眠情報７００を受信すると、当該日常睡眠情報７００を日常睡眠情報記憶部２６０に格納する（ステップＳ１８０１）。
【０２１４】
次に、運営者サーバ１０は、コンディション特定情報８００の作成及び格納処理を行う（ステップＳ１８０２）。なお、コンディション特定情報８００の作成及び格納処理の詳細は、図１３を用いて説明した通りである。
【０２１５】
ステップＳ１１０７に続いて、運営者サーバ１０は、情報受信部１０１が大会当日の日常バイタル情報６００と、大会当日の日常睡眠情報７００とを受信すると、選手Ｐのコンディションの特定から選手情報９００の作成及び格納までの処理を行う（ステップＳ１８０３）。なお、選手Ｐのコンディションの特定から選手情報９００の作成及び格納までの処理の詳細は、図１４を用いて説明した通りである。
【０２１６】
ここで、上記のステップＳ１８０３において、選手Ｐのコンディションが異常と特定された場合、運営者サーバ１０のコンディション通知部１０３は、当該選手ＰのユーザＩＤをスタッフ端末５０に送信する（ステップＳ１８０４）。
【０２１７】
以上のように、本実施形態に係る健康管理システム１では、コンディション特定情報８００の作成と、選手Ｐのコンディションの特定とを運営者サーバ１０で行う。このため、本実施形態に係る健康管理システム１では、選手Ｐの日常バイタル情報６００及び日常睡眠情報７００を保険会社サーバ２０に送信する必要がない。したがって、例えば、選手Ｐが、自身の日常バイタル情報６００及び日常睡眠情報７００を保険会社に提供したくない場合等であっても、当該選手Ｐのコンディションを特定することができる。
【０２１８】
次に、コンディションが正常と特定された選手Ｐに保険料のキャッシュバックを通知する処理について、図１９を参照しながら説明する。図１９は、第二の実施形態に係る保険料のキャッシュバック通知処理の一例を示すシーケンス図である。なお、図１９のステップＳ１５０３の処理は、図１５と同様であるため、その説明を省略する。
【０２１９】
まず、運営者サーバ１０の選手情報管理部２０８は、選手情報記憶部２８０に記憶されている選手情報９００のうち、コンディションが「正常」である選手情報９００を取得する（ステップＳ１９０１）。
【０２２０】
次に、運営者サーバ１０の情報送信部１０２は、選手情報管理部２０８が取得した選手情報９００を保険会社サーバ２０に送信する（ステップＳ１９０２）。
【０２２１】
保険会社サーバ２０のキャッシュバック通知部２１０は、情報受信部２０１が受信した選手情報９００に含まれるユーザＩＤの選手Ｐが利用するユーザ端末４０宛に、保険料のキャッシュバックを通知する（ステップＳ１９０３）。
【０２２２】
以上のように、本実施形態に係る健康管理システム１は、コンディションが正常であると特定された選手Ｐの選手情報９００を運営者サーバ１０から保険会社サーバ２０に送信する。すなわち、本実施形態に係る健康管理システム１では、大会にエントリーしている選手Ｐの選手Ｐを運営者サーバ１０で管理する。したがって、例えば、大会にエントリーしている選手Ｐのコンディションの正常又は異常を大会運営者が管理する場合であっても、保険料のキャッシュバック通知を行うことができる。
【０２２３】
以上、本発明の実施形態について詳述したが、本発明は斯かる特定の実施形態に限定されるものではなく、特許請求の範囲に記載された本発明の要旨の範囲内において、種々の変形・変更が可能である。
【０２２４】
以上の説明に関し、更に以下の項を開示する。
（付記１）
競技に参加する選手の健康状態を管理するコンピュータに、
前記選手の所定の期間に取得したバイタル情報と睡眠情報とに基づいて、前記選手についてのバイタル情報と睡眠情報の基準値を算出し、
競技開始前の前記選手のバイタル情報と睡眠情報とを取得し、
取得した前記バイタル情報と前記睡眠情報と、算出した前記バイタル情報と睡眠情報の基準値とのずれの大きさに応じて、前記選手が正常か異常かを判別する、
処理を実行させるための健康管理プログラム。
（付記２）
正常であると判別された前記選手の前記競技に関する保険料の少なくとも一部を払い戻すことの通知を、前記コンピュータに接続される第１の端末に出力する、ことを特徴とする付記１に記載の健康管理プログラム。
（付記３）
異常であると判別された前記選手を識別する識別情報を、前記コンピュータに接続される第２の端末に出力する、ことを特徴とする付記１又は２に記載の健康管理プログラム。
（付記４）
競技に参加する選手の健康状態を管理する健康管理装置であって、
前記選手の所定の期間に取得したバイタル情報と睡眠情報とに基づいて、前記選手についてのバイタル情報と睡眠情報の基準値を算出する算出部と、
競技開始前の前記選手のバイタル情報と睡眠情報とを取得する取得部と、
取得した前記バイタル情報と前記睡眠情報と、算出した前記バイタル情報と睡眠情報の基準値とのずれの大きさに応じて、前記選手が正常か異常かを判別する判別部と、
を有する健康管理装置。
（付記５）
正常であると判別された前記選手の前記競技に関する保険料の少なくとも一部を払い戻すことの通知を、前記健康管理装置に接続される第１の端末に出力する第１の出力部を有する、ことを特徴とする付記４に記載の健康管理装置。
（付記６）
異常であると判別された前記選手を識別する識別情報を、前記健康管理装置に接続される第２の端末に出力する第２の出力部を有する、ことを特徴とする付記４又は５に記載の健康管理装置。
（付記７）
競技に参加する選手の健康状態を管理するコンピュータが、
前記選手の所定の期間に取得したバイタル情報と睡眠情報とに基づいて、前記選手についてのバイタル情報と睡眠情報の基準値を算出し、
競技開始前の前記選手のバイタル情報と睡眠情報とを取得し、
取得した前記バイタル情報と前記睡眠情報と、算出した前記バイタル情報と睡眠情報の基準値とのずれの大きさに応じて、前記選手が正常か異常かを判別する、
処理を実行する健康管理方法。
（付記８）
正常であると判別された前記選手の前記競技に関する保険料の少なくとも一部を払い戻すことの通知を、前記コンピュータに接続される第１の端末に出力する、ことを特徴とする付記７に記載の健康管理方法。
（付記９）
異常であると判別された前記選手を識別する識別情報を、前記コンピュータに接続される第２の端末に出力する、ことを特徴とする付記７又は８に記載の健康管理方法。
【符号の説明】
【０２２５】
１        健康管理システム
１０      運営者サーバ
２０      保険会社サーバ
３０      ウェアラブル端末
４０      ユーザ端末
５０      スタッフ端末
１０１    情報受信部
１０２    情報送信部
１０３    コンディション通知部
２０１    情報受信部
２０２    バイタル情報管理部
２０３    睡眠情報管理部
２０４    特定情報作成部
２０５    特定情報管理部
２０６    コンディション特定部
２０７    選手情報作成部
２０８    選手情報管理部
２０９    コンディション通知部
２１０    キャッシュバック通知部
２５０    日常バイタル情報記憶部
２６０    日常睡眠情報記憶部
２７０    コンディション特定情報記憶部
２８０    選手情報記憶部
３０１    バイタル情報取得部
３０２    睡眠状況測定部
３０３    睡眠情報作成部
３０４    情報送信部
４０１    情報受信部
４０２    情報送信部
４０３    日常バイタル情報作成部
４０４    バイタル情報管理部
４０５    日常睡眠情報作成部
４０６    睡眠情報管理部
４５０    日常バイタル情報記憶部
４６０    日常睡眠情報記憶部
５０１    通知受信部
５０２    表示制御部
【図１】
2018109827.tif 000003
【図２】
2018109827.tif 000004
【図３】
2018109827.tif 000005
【図４】
2018109827.tif 000006
【図５】
2018109827.tif 000007
【図６】
2018109827.tif 000008
【図７】
2018109827.tif 000009
【図８】
2018109827.tif 000010
【図９】
2018109827.tif 000011
【図１０】
2018109827.tif 000012
【図１１】
2018109827.tif 000013
【図１２】
2018109827.tif 000014
【図１３】
2018109827.tif 000015
【図１４】
2018109827.tif 000016
【図１５】
2018109827.tif 000017
【図１６】
2018109827.tif 000018
【図１７】
2018109827.tif 000019
【図１８】
2018109827.tif 000020
【図１９】
2018109827.tif 000021